(57)【要約】【課題】膨大な量の特徴情報等を保持したりすることなく保守員の第一言語を判定し、該判定した第一言語による言語表示への切り替えを、保守員による操作入力を要することなく行えるようにする。【解決手段】カメラ装置が、保守員の第一言語を識別する識別情報を有する、保守員の装着物を撮影する。次いで、識別情報取得回路部が、カメラ装置による装着物の撮影画像から識別情報を取得する。次いで、言語判定回路部が、識別情報取得回路部で取得された識別情報に基づいて、保守員の第一言語を判定する。次いで、制御回路部が、言語判定回路が判定した第一言語で記述された保守情報を、表示装置の画面に表示させる。【選択図】図１
2018045271.tif 000002
【特許請求の範囲】
【請求項１】
保守員による保守を必要とする保守対象機器と有線又は無線により接続され、前記保守対象機器の保守作業に必要な保守情報を表示する表示装置を備える保守作業用携帯端末において、
前記保守員の第一言語を識別する識別情報を有する、前記保守員の装着物を撮影するカメラ装置と、
前記カメラ装置による前記装着物の撮影画像から前記識別情報を取得する識別情報取得回路部と、
前記識別情報取得回路部で取得された前記識別情報に基づいて、前記保守員の第一言語を判定する言語判定回路部と、
前記言語判定回路で判定された前記第一言語で記述された前記保守情報を、前記表示装置の画面に表示させる制御回路部とを備えることを特徴とする
保守作業用携帯端末。
【請求項２】
前記識別情報取得回路部は、前記撮影画像中に複数の前記識別情報が写っていた場合、前記撮影画像中で一番大きく写っている前記識別情報を取得することを特徴とする
請求項１に記載の保守作業用携帯端末。
【請求項３】
前記制御回路部は、前記識別情報取得回路部が前記識別情報を取得できなかった場合、言語を含まない非言語シンボルで表される前記保守情報を前記表示装置の画面に表示させることを特徴とする
請求項２に記載の保守作業用携帯端末。
【請求項４】
前記制御回路部は、前記言語判定回路部が前記保守員の第一言語を判定できなかった場合、既定値として予め設定されたデフォルト言語で記述された前記保守情報を、前記表示装置の画面に表示させることを特徴とする
請求項３に記載の保守作業用携帯端末。
【請求項５】
前記保守員による指示が入力される指示入力装置をさらに備え、
前記言語判定回路部は、前記指示入力装置が前記保守員による該保守員の第一言語を指定する指示入力を検知した場合、前記識別情報取得回路部で取得された前記識別情報を、前記指示入力により指定された言語に対応付ける
請求項４に記載の保守作業用携帯端末。
【請求項６】
前記保守員の装着物に設けられた無線送信装置から送信された、前記識別情報を含む無線信号を受信する無線受信装置と、
前記無線受信装置が受信した前記無線信号の無線強度の情報、又は、前記無線信号に含まれる情報に基づいて、前記保守作業用携帯端末と前記保守員との距離を示す距離情報を取得する距離情報取得回路部と、をさらに備え、
前記距離情報取得回路部は、前記無線受信装置が複数の前記無線信号を受信した場合、前記取得した前記距離情報に基づいて、前記保守作業用携帯端末との距離が一番近い前記無線送信装置を特定するとともに、該特定した無線送信装置から送信された第２の識別情報を取得し、
前記言語判定回路部は、前記距離情報取得回路部で取得された前記識別情報と、前記識別情報取得回路部で取得された前記第２の識別情報とが一致した場合、該一致した前記識別情報に基づいて前記保守員の第一言語を判定することを特徴とする
請求項１〜５のいずれか一項に記載の保守作業用携帯端末。
【請求項７】
保守員による保守を必要とする保守対象機器と有線又は無線により接続され、前記保守対象機器の保守作業に必要な保守情報を表示する表示装置を備える保守作業用携帯端末の表示制御方法において、
前記保守員の第一言語を識別する識別情報を有する、前記保守員の装着物を撮影することと、
前記装着物の撮影画像から前記識別情報を取得することと、
前記取得した前記識別情報に基づいて、前記保守員の第一言語を判定することと、
前記判定した前記第一言語で記述された前記保守情報を、前記表示装置の画面に表示させることと、を有することを特徴とする
保守作業用携帯端末の表示制御方法。
【発明の詳細な説明】
【技術分野】
【０００１】
本発明は、保守作業用携帯端末及び保守作業用携帯端末の表示制御方法に関する。
【背景技術】
【０００２】
従来、保守員による保守対象機器の保守作業を支援するツールとして、保守作業用携帯端末が知られている。保守作業用携帯端末は、保守対象機器と有線又は無線で接続した状態で使用される端末であり、保守員は、保守作業用携帯端末を操作することにより、例えば、保守対象機器の保守運転を実行することができる。保守作業用携帯端末の表示画面には、保守員による保守作業を支援する情報として、保守対象機器の稼働状況等の保守情報が表示される。
【０００３】
ところで、今後、第一言語が互いに異なる複数の保守員が、１台の保守作業用携帯端末を共有して保守作業を行う機会が増えることが想定される。この場合、保守作業用携帯端末を使用する保守員の第一言語に合わせて、保守作業用携帯端末の画面に表示させる保守情報の表示言語を変更する必要がある。
【０００４】
保守情報の表示言語の変更を実現する手法としては、表示言語選択用のプルダウンメニューを保守作業用携帯端末の画面上に表示し、プルダウンメニューとして表示される複数の言語の中から、保守員に、自分の第一言語を選択させる手法が知られている。しかしながら、この手法を用いた場合、保守作業用携帯端末を使用する保守員が切り替わる度に、新たに保守作業用携帯端末を使用する保守員が表示言語の変更操作を行う必要があり、保守員の手間を要してしまう。
【０００５】
例えば、特許文献１には、通行人である視聴者に言語選択のための操作を行わせることなく、視聴者の使用言語である可能性が最も高い言語による文字列又は音声を、デジタルサイネージモニタから出力させる技術が開示されている。
【先行技術文献】
【特許文献】
【０００６】
【特許文献１】特開２０１２−８３９２５号公報
【発明の概要】
【発明が解決しようとする課題】
【０００７】
特許文献１に記載の技術では、視聴者の肌の色や目（虹彩）等の特徴情報と、視聴者による言語の使用可能性の度合いを示す言語使用可能性データとが、予め対応付けて管理される。そして、カメラにより撮影された視聴者の映像情報から得られる視聴者の特徴情報に基づいて、視聴者の使用言語である可能性が最も高い言語が判定される。それゆえ、特許文献１に記載の技術では、視聴者の使用言語である可能性が最も高い言語の判定精度を高めることを目的として、膨大な量の特徴情報と、それらの特徴情報に紐付く言語使用可能性データとが保持される。しかしながら、このような膨大な量の情報を、容量に限りのある保守作業用携帯端末の記憶媒体において保持することは難しい。
【０００８】
本発明は、上記課題を解決するためになされたものである。本発明の目的は、膨大な量の特徴情報等を保持したりすることなく、保守作業用携帯端末の使用者である保守員の第一言語を判定し、該判定した第一言語による言語表示への切り替えを、保守員による操作入力を要することなく行えるようにすることにある。
【課題を解決するための手段】
【０００９】
上記課題を解決するために、本発明の保守作業用携帯端末は、保守員による保守を必要とする保守対象機器と有線又は無線により接続される。また、本発明の保守作業用携帯端末は、保守対象機器の保守作業に必要な保守情報を表示する表示装置を備える。そして、本発明では、カメラ装置が、保守員の第一言語を識別する識別情報を有する、保守員の装着物を撮影する。次いで、識別情報取得回路部が、カメラ装置による装着物の撮影画像から識別情報を取得する。次いで、言語判定回路部が、識別情報取得回路部で取得された識別情報に基づいて、保守員の第一言語を判定する。次いで、制御回路部が、言語判定回路で判定された第一言語で記述された保守情報を、表示装置の画面に表示させる。
【発明の効果】
【００１０】
本発明によれば、膨大な量の特徴情報等を保持したりすることなく、保守作業用携帯端末の使用者である保守員の第一言語を判定し、該判定した第一言語による言語表示への切り替えを、保守員による操作入力を要することなく行えるようになる。
【図面の簡単な説明】
【００１１】
【図１】本発明の第１の実施形態に係る保守作業支援システムの内部構成を示すブロック図である。
【図２】本発明の第１の実施形態に係る計算機のハードウェア構成例を示すブロック図である。
【図３】本発明の第１の実施形態に係る保守作業用携帯端末の表示制御手法の手順を示すフローチャートである。
【図４】本発明の第２の実施形態に係る保守作業支援システムの内部構成を示すブロック図である。
【図５】本発明の第２の実施形態に係る保守作業用携帯端末の表示制御手法の手順を示すフローチャートである。
【図６】本発明の第２の実施形態に係る保守作業用携帯端末の表示制御手法の手順を示すフローチャートである。
【発明を実施するための形態】
【００１２】
以下に、本発明の各実施形態に係る保守作業用携帯端末及びその表示制御手法の内容について、図面を参照しながら具体的に説明する。以下に示す各実施形態では、本発明の保守作業用携帯端末を、保守対象機器である昇降機（エレベーター：不図示）の保守作業時に用いられる保守作業用携帯端末に適用し、本発明の装着物を、保守員が保守作業中に着用する保守用ヘルメットに適用した例を挙げる。
【００１３】
＜第１の実施形態＞
［保守作業支援システムの内部構成］
まず、図１を参照して、本発明の第１の実施形態に係る保守作業支援システムの内部構成について説明する。図１は、第１の実施形態の保守作業支援システムの内部構成を示すブロック図である。
【００１４】
第１の実施形態の保守作業支援システム１は、図１に示すように、保守用ヘルメット１００と、保守作業用携帯端末２００とを備える。
【００１５】
本実施形態の保守用ヘルメット１００は、上述のように、保守員によって保守作業中に着用されるものであり、各保守員に対して一個ずつ専用のものが割り当てられる。つまり、それぞれの保守用ヘルメット１００は、毎回同一の保守員によって着用される。
【００１６】
また、保守用ヘルメット１００は、二次元コード１１０を備える。二次元コード１１０は、各保守員の第一言語の種類を識別するユニークＩＤ（識別情報の一例）が符号化されたコードである。二次元コード１１０のサイズ（大きさ）は、所定の一定のサイズとされ、各保守員が着用する全ての保守用ヘルメット１００において共通のサイズが適用される。二次元コード１１０は、例えば、保守員が保守用ヘルメット１００を着用した状態において、保守用ヘルメット１００の前面に配置される位置等に取り付けられる。
【００１７】
保守作業用携帯端末２００は、昇降機と有線又は無線を介して接続した状態で使用される端末であり、昇降機の稼働状況等の保守情報を表示する機能や、保守員による昇降機の保守運転の操作指示を保守対象機器に送信する機能等を有する。保守作業用携帯端末２００は、保守員によって保持された状態で使用される他に、建物の壁や棚等に立てかけた（吊した）状態でも使用される。
【００１８】
保守作業用携帯端末２００は、カメラ装置２１０、二次元コード読取り回路部２２０（識別情報取得回路部の一例）、言語情報記憶部２３０、言語判定回路部２４０及び多言語テンプレート記憶部２５０を備える。また、保守作業用携帯端末２００は、通信回路部２６０、指示入力装置２７０、制御回路部２８０及び表示装置２９０を備える。
【００１９】
カメラ装置２１０は、レンズ（不図示）を介して入射する被写体光を光電変換して画像信号を生成し、生成した画像信号を二次元コード読取り回路部２２０に出力する。本実施形態では、カメラ装置２１０のレンズは、例えば、保守作業用携帯端末２００の筐体（不図示）の前面に設けられる。それゆえ、保守員が保守作業用携帯端末２００を覗き込むなどしたことにより、カメラ装置２１０の撮影範囲内に、保守用ヘルメット１００の二次元コード１１０が配置された場合、カメラ装置２１０によって二次元コード１１０が撮影される。そして、カメラ装置２１０によって二次元コード１１０が撮影された場合、カメラ装置２１０から二次元コード読取り回路部２２０に対して、二次元コード１１０の画素情報を含む画像信号が出力される。
【００２０】
二次元コード読取り回路部２２０は、カメラ装置２１０から入力された画像信号よりなる撮影画像から二次元コード１１０を抽出して復号することにより、二次元コード１１０に含まれるユニークＩＤを取得する。カメラ装置２１０による撮影画像中に複数の二次元コード１１０の画像が含まれる場合には、二次元コード読取り回路部２２０は、画像の大きさが一番大きい二次元コード１１０のみを抽出し、抽出した二次元コード１１０に含まれるユニークＩＤを復号する。二次元コード読取り回路部２２０は、復号により得たユニークＩＤを言語判定回路部２４０に出力する。
【００２１】
言語情報記憶部２３０は、例えばデータベースとして構成され、言語情報記憶部２３０では、保守員の第一言語の種類を識別する識別情報であるユニークＩＤと、「日本語」、「英語」等の、保守員の第一言語の種類を示す第一言語情報とが対応付けて管理される。
【００２２】
言語判定回路部２４０は、二次元コード読取り回路部２２０から入力されたユニークＩＤと予め対応付けられている第一言語情報を、言語情報記憶部２３０から検索して読み出し、読み出した第一言語情報に示される言語を、保守員の第一言語と判定する。そして、言語判定回路部２４０は、言語情報記憶部２３０から読み出した第一言語情報を制御回路部２８０に出力する。
【００２３】
多言語テンプレート記憶部２５０は、例えば、ＨＤＤ（Hard Disk Drive）等よりなる記憶装置（不図示）の記憶領域として構成される。多言語テンプレート記憶部２５０には、保守員の第一言語情報として言語情報記憶部２３０に登録済みの各言語で記載された、複数種類の（多言語対応の）保守情報表示用テンプレート（不図示）が記憶される。保守情報表示用テンプレートとしては、例えば、ＨＴＭＬ（HyperText Markup Language）で記述されたものや、画像データで構成されるものを使用することができる。なお、多言語テンプレート記憶部２５０に記憶させるものは、保守情報表示用テンプレートに限定されず、多言語対応の保守対象機器のマニュアル等であってもよい。多言語対応のマニュアルには、例えば、ＰＤＦ（Portable Document Format）形式のファイルで構成されたものを使用できる。
【００２４】
また、多言語テンプレート記憶部２５０には、言語を含まない非言語シンボルも記憶される。非言語シンボルには、例えば、昇降機の扉の開閉状態や、乗りかご（不図示）の昇降方向等を示す矢印又は三角形等よりなるマーク、乗りかごが停止中の階床を表す数字、異常又は正常等の状態を伝える赤色や緑色等のマーク等がある。
【００２５】
通信回路部２６０は、有線又は無線を介して接続される昇降機との間で行われる、データ又は制御信号の送受信動作を制御する。
【００２６】
指示入力装置２７０は、保守作業用携帯端末２００の筐体に設けられたキーやボタン等よりなり、保守員による当該指示入力装置に対する操作内容に応じた操作信号を生成し、生成した操作信号を制御回路部２８０に出力する。なお、指示入力装置２７０を例えばタッチセンサで構成し、指示入力装置２７０と表示装置２９０とをタッチパネルとして一体に形成してもよい。
【００２７】
制御回路部２８０は、例えばＣＰＵ（Central Processing Unit）やメモリ等をＬＳＩ（Large-scale Integration）チップに集積した回路（マイコン）を含んで構成され、保守作業用携帯端末２００を構成する各部の動作を制御する。より詳細には、後述するように、制御回路部２８０は、保守員が着用している保守用ヘルメット１００に取り付けられた二次元コード１１０の撮影画像から取得したユニークＩＤに基づいて、保守情報の表示言語を、保守員の第一言語に切り替える制御を行う。
【００２８】
また、制御回路部２８０は、通信回路部２６０を介して昇降機の稼働状態等の情報を受信した場合、受信した情報を保守情報として表示装置２９０の画面に表示させる制御を行う。さらに、制御回路部２８０は、指示入力装置２７０から昇降機の保守運転用の操作信号が入力された場合、入力された操作信号に基づいて昇降機の保守運転用の制御信号を生成し、生成した制御信号を、通信回路部２６０を介して昇降機に送信する制御を行う。
【００２９】
表示装置２９０は、例えばＬＣＤ（Liquid Crystal Display）パネル等により構成され、制御回路部２８０の制御に基づいて、その画面に文字や画像等よりなる保守情報を表示する。
【００３０】
［保守作業端末の各装置及び各部を構成する計算機のハードウェア構成］
次に、図２を参照して、本実施形態の保守作業用携帯端末２００の各構成を計算機Ｃで実現した場合における、計算機Ｃのハードウェア構成を説明する。図２は、計算機Ｃのハードウェア構成例を示すブロック図である。
【００３１】
計算機Ｃは、いわゆるコンピュータとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、表示部Ｃ５、操作部Ｃ６、不揮発性ストレージＣ７、ネットワークインターフェイスＣ８を備える。
【００３２】
ＣＰＵ Ｃ１は、本実施形態に係る各機能を実現するソフトウェアのプログラムコードをＲＯＭ Ｃ２から読み出して実行する。すなわち、本実施形態の制御に係る各構成、機能等は、ＣＰＵ Ｃ１がそれぞれの機能を実現するプログラムを解釈し、実行することにより、すなわちソフトウェア（モジュール）により実現される。ＲＡＭ Ｃ３には、演算処理の途中に発生した変数やパラメーターが一時的に書き込まれる。
【００３３】
表示部Ｃ５は、例えば、ＬＣＤパネル等よりなり、計算機Ｃで行われる処理の結果等を画面に表示する。本実施形態では、表示部Ｃ５の画面には保守情報が表示される。操作部Ｃ６には、例えば、キー又はボタン等よりなり、保守員による当該指示部Ｃ６に対する操作内容に応じた操作信号を生成し、生成した操作信号をＣＰＵ Ｃ１に出力する。
【００３４】
不揮発性ストレージＣ７は、例えば、ＨＤＤ、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等よりなる記憶媒体である。不揮発性ストレージＣ７には、ＯＳ（Operating System）、各種のパラメーターの他、計算機Ｃを機能させるためのプログラムが格納される。本実施形態の言語情報記憶部２３０及び多言語テンプレート記憶部２５０は、不揮発性ストレージＣ７内に格納される。
【００３５】
ネットワークインターフェイスＣ８は、例えば、ＮＩＣ（Network Interface Card）等よりなり、端子が接続されたＬＡＮ（Local Area Network）、専用線等を介して各種のデータを送受信することが可能である。本実施形態の通信回路部２６０は、ネットワークインターフェイスＣ８として構成される。
【００３６】
なお、図２では、本実施形態の保守作業用携帯端末２００の各構成を計算機Ｃで実現した場合を例に挙げたが、本発明はこれに限定されず、以下に説明する第２の実施形態における保守作業用携帯端末の各構成を計算機Ｃで実現することも可能である。
【００３７】
［保守作業用携帯端末の動作概要］
次に、再び図１を参照して、本実施形態の保守作業用携帯端末２００の動作概要について説明する。なお、保守作業用携帯端末２００の制御処理については、後述の図３を参照して詳述する。
【００３８】
まず、保守作業を行う保守員が、自分用の保守用ヘルメット１００を着用し、壁や棚等に配置された保守作業用携帯端末２００の前に立つ、あるいは、保守作業用携帯端末２００を手に取る。保守員がこのような動作を行うことによって、保守用ヘルメット１００に取り付けられた二次元コード１１０が、保守作業用携帯端末２００のカメラ装置２１０の撮影範囲内に入ると、カメラ装置２１０により二次元コード１１０が撮影される。
【００３９】
次いで、二次元コード読取り回路部２２０は、カメラ装置２１０による二次元コード１１０の撮影画像から二次元コード１１０を抽出して復号することにより、二次元コード１１０に含まれるユニークＩＤを取得する。次いで、言語判定回路部２４０は、ユニークＩＤと対応する第一言語情報を言語情報記憶部２３０から読み出し、読み出した第一言語情報を制御回路部２８０に出力する。
【００４０】
制御回路部２８０は、言語判定回路部２４０から入力された第一言語情報に記載された言語と対応する言語で記述された保守情報表示用テンプレートを、多言語テンプレート記憶部２５０から読み出す。例えば、言語判定回路部２４０から入力された第一言語情報に、「日本語」と記載されていた場合には、制御回路部２８０は、日本語で記述された保守情報表示用テンプレートを読み出す。そして、制御回路部２８０は、読み出した保守情報表示用テンプレートにデータを埋め込んで保守情報を生成し、生成した保守情報を表示装置２９０の画面に表示させる制御を行う。制御回路部２８０によりこのような制御が行われることにより、保守員の第一言語で記述された保守情報が、表示装置２９０の画面に表示される。
【００４１】
また、制御回路部２８０は、保守員が着用した保守用ヘルメット１００の撮影画像から読み取られたユニークＩＤと対応する第一言語情報が、言語情報記憶部２３０に記憶されていない場合、デフォルト言語で記述された保守情報表示用テンプレートを読み出す。そして、制御回路部２８０は、読み出した保守情報表示用テンプレートにデータを埋め込んで保守情報を生成し、生成した保守情報を表示装置２９０の画面に表示させる制御を行う。制御回路部２８０によりこのような制御が行われることにより、デフォルト言語で記述された保守情報が、表示装置２９０の画面に表示される。
【００４２】
また、制御回路部２８０は、二次元コード読取り回路部２２０からユニークＩＤが入力されない場合、多言語テンプレート記憶部２５０から非言語シンボルを読み出し、読み出した非言語シンボルを用いて保守情報を生成する。二次元コード読取り回路部２２０からユニークＩＤが入力されない場合とは、二次元コード読取り回路部２２０で二次元コード１１０の読取りが行われない場合である。例えば、二次元コード読取り回路部２２０における読取りエラーの発生時や、カメラ装置２１０から二次元コード１１０の画像信号が入力されない場合には、二次元コード読取り回路部２２０での二次元コード１１０の読取りは行われない。
【００４３】
二次元コード読取り回路部２２０で二次元コード１１０の読取りが行わなかった場合に、制御回路部２８０により上記制御が行われることにより、非言語シンボルにより示される概略的な保守情報が、表示装置２９０の画面に表示される。これにより、保守員は、色や形、マーク等の非言語シンボルで表現される情報から、保守情報を読み取ることができる。
【００４４】
さらに、制御回路部２８０は、非言語シンボルを用いた保守情報を表示装置２９０の画面に表示させる際に、保守情報の表示言語を選択させるための表示言語選択用プルダウンメニューも併せて表示装置２９０の画面に表示させる。表示言語選択用プルダウンメニューは、保守員の第一言語として登録済みの様々な言語をリスト形式で示すメニューである。保守員の操作入力によって、リスト表示された複数の言語の中から所定の言語が選択されると、制御回路部２８０は、保守員によって選択された言語で記述された保守情報を、表示装置２９０の画面に表示させる。これにより、保守員は、プルダウンメニュー中に表示された複数種類の言語の中から、自分の第一言語を選択する操作を行うことによって、保守情報の表示言語を、自分の第一言語に切り替えることができる。
【００４５】
なお、制御回路部２８０は、非言語シンボルによる保守情報の表示時だけでなく、保守員によって、表示言語の種類を変更する指示入力が指示入力装置２７０に対して行われた場合にも、表示言語選択用のプルダウンメニューを表示させてもよい。これにより、保守員は、表示装置２９０の画面に表示された保守情報の表示言語が、自分の第一言語と異なっていた場合にも、表示言語選択用のプルダウンメニューから自分の第一言語を選択することによって、保守情報の表示言語を、自分の第一言語に変更できる。
【００４６】
保守員からの指示入力に応じて行う、保守情報の表示言語の変更処理は、例えば、言語判定回路部２４０が、ユニークＩＤと第一言語情報との対応付けを暫定的に変更することにより行うことができる。変更後のユニークＩＤと第一言語情報との対応付けの有効期間には、例えば、電源がオフされるまでの期間等を設定することができる。暫定的な対応付けの有効期間をこのような期間に設定することにより、保守作業用携帯端末２００の使用終了時に保守員によって電源がオフされた時点で、ユニークＩＤと第一言語情報との暫定的な対応付けは無効化される。これにより、次回、違う保守員によって保守作業用携帯端末２００が使用される際に、保守員の保守用ヘルメット１００の撮影画像から読み取られたユニークＩＤと対応する第一言語で、保守情報を表示させることができる。
【００４７】
［保守作業用携帯端末による表示制御手法］
次に、第１の実施形態の保守作業用携帯端末２００による表示制御手法について、図３を参照しながら説明する。図３は、保守作業用携帯端末２００による表示制御手法の手順を示すフローチャートである。
【００４８】
まず、保守員等によって保守作業用携帯端末２００の電源が投入されると、保守作業用携帯端末２００のカメラ装置２１０が撮影を開始する（ステップＳ１）。次いで、カメラ装置２１０が二次元コード１１０を撮影できたか否かを、二次元コード読取り回路部２２０が判定する（ステップＳ２）。つまり、二次元コード読取り回路部２２０は、カメラ装置２１０による撮影画像に、二次元コード１１０の画像が含まれているか否かを判定する。なお、ステップＳ２の判定処理は、カメラ装置２１０自身が行うようにしてもよい。
【００４９】
保守作業用携帯端末２００を使用したいと考える保守員は、保守用ヘルメット１００を着用し、保守作業用携帯端末２００の画面を覗き込む動作を行う。保守員がこのような動作を行った場合、カメラ装置２１０によって、保守用ヘルメット１００の二次元コード１１０が撮影される。したがって、上記ステップＳ２はＹＥＳ判定となる。保守作業用携帯端末２００の周囲に保守員が存在しない場合には、カメラ装置２１０による二次元コード１１０の撮影は行われない。この場合、ステップＳ２はＮＯ判定となる。
【００５０】
ステップＳ２で、二次元コード１１０は撮影されなかったと判定された場合（ステップＳ２がＮＯ判定の場合）、制御回路部２８０は、非言語シンボルで表される保守情報及び表示言語選択用プルダウンメニューを表示させる（ステップＳ３）。なお、本実施形態では、非言語シンボルで表される保守情報を表示装置２９０の画面に表示させる際に、表示言語選択用プルダウンメニューも併せて表示させる例を挙げたが、本発明はこれに限定されない。まずは非言語シンボルで表される保守情報のみを表示させ、保守員による指示入力等が行われた場合に、表示言語選択用プルダウンメニューを表示させるようにしてもよい。
【００５１】
一方、ステップＳ２で、二次元コード１１０が撮影されたと二次元コード読取り回路部２２０が判定した場合（ステップＳ２がＹＥＳ判定の場合）、二次元コード読取り回路部２２０は、複数の二次元コード１１０が撮影されたか否かを判定する（ステップＳ４）。つまり、二次元コード読取り回路部２２０は、カメラ装置２１０による撮影画像中に、複数の二次元コード１１０の画像が含まれているか否かを判定する。
【００５２】
保守作業用携帯端末２００の周囲に複数の保守員が存在する場合、カメラ装置２１０によって複数の保守用ヘルメット２００上の複数の二次元コード１１０が撮影される。それゆえ、カメラ装置２１０による撮影画像中に、複数の二次元コード１１０の画像が含まれるため、上記ステップＳ４はＹＥＳ判定となる。保守作業用携帯端末２００の周囲に保守員が一人しか存在しない場合には、撮影画像中には１つの二次元コード１１０の画像しか含まれない。したがって、ステップＳ４はＮＯ判定となる。
【００５３】
ステップＳ４で、複数の二次元コード１１０は撮影されていないと判定された場合（ステップＳ４がＮＯ判定の場合）、二次元コード読取り回路部２２０は、撮影画像から二次元コード１１０を抽出して復号することによりユニークＩＤを取得する（ステップＳ５）。
【００５４】
一方、ステップＳ４で、複数の二次元コード１１０が撮影されたと判定された場合（ステップＳ４がＹＥＳ判定の場合）、二次元コード読取り回路部２２０は、撮影画像中で一番大きく写っている二次元コード１１０を選択する（ステップＳ６）。
【００５５】
撮影画像中で一番大きく写っている二次元コード１１０は、カメラ装置２１０から一番近い位置にある二次元コードであると言える。つまり、二次元コード読取り回路部２２０によってステップＳ６の処理が行われることにより、保守作業用携帯端末２００のカメラ装置２１０に一番近い位置に立っている保守員が着用中の保守用ヘルメット１００に取り付けられた二次元コード１１０が、二次元コード読取り回路部２２０によって選択される。
【００５６】
ステップＳ６の処理後、二次元コード読取り回路部２２０は、ステップＳ５の処理を行う。すなわち、二次元コード読取り回路部２２０は、ステップＳ６で選択した二次元コード１１０を復号することにより、ユニークＩＤを取得する。
【００５７】
ステップＳ５の処理後、言語判定回路部２４０は、二次元コード読取り回路部２２０が取得したユニークＩＤと予め対応付けられた第一言語情報を、言語情報記憶部２３０から検索する（ステップＳ７）。次いで、言語判定回路部２４０は、ユニークＩＤと対応する第一言語情報が、言語情報記憶部２３０中に存在するか否かを判定する（ステップＳ８）。
【００５８】
ステップＳ８で、ユニークＩＤと対応する第一言語情報が存在しないと判定された場合（ステップＳ８がＮＯ判定の場合）、制御回路部２８０は、デフォルト言語で記述された保守情報を、表示装置２９０の画面に表示させる（ステップＳ９）。例えば、デフォルト言語として英語が設定されている場合、ステップＳ９の処理が行われることにより、表示装置２９０の画面に、英語で記述された保守情報が表示される。
【００５９】
一方、ステップＳ８で、ユニークＩＤと対応する第一言語情報が存在すると判定された場合（ステップＳ８がＹＥＳ判定の場合）、言語判定回路部２４０は、ユニークＩＤと対応する第一言語情報を言語情報記憶部２３０から読み出す（ステップＳ１０）。次いで、制御回路部２８０は、言語判定回路部２４０が読み出した第一言語情報に示された言語で記述された保守情報を、表示装置２９０の画面に表示させる（ステップＳ１１）。例えば、ステップＳ５で二次元コード読取り回路部２２０によって読み出されたユニークＩＤが、「日本語」を示す第一言語情報と対応付けられていた場合、ステップＳ１１の処理により、日本語で記述された保守情報が表示装置２９０の画面に表示される。
【００６０】
ステップＳ３又はステップＳ９又はステップＳ１１の処理後、制御回路部２８０は、保守作業用携帯端末２００の使用終了の指示を検知したか否かを判定する（ステップＳ１２）。保守作業用携帯端末２００の使用終了の指示の例としては、保守員による保守作業用携帯端末２００の電源をオフする指示入力等が挙げられる。
【００６１】
ステップＳ１２で、制御回路部２８０が、保守作業用携帯端末２００の使用終了の指示を検知していないと判定した場合（ステップＳ１２がＮＯ判定の場合）、制御回路部２８０は、処理をステップＳ２に戻す。ステップＳ２では、カメラ装置２１０による、二次元コード１１０の画像が撮影されたか否かの再び判定が行われる。
【００６２】
ステップＳ１２で、制御回路部２８０が、保守作業用携帯端末２００の使用終了の指示を検知したと判定した場合（ステップＳ１２がＹＥＳ判定の場合）、制御回路部２８０は、処理を終了する。
【００６３】
上述のように、第１の実施形態の保守作業用携帯端末２００では、二次元コード読取り回路部２２０が、保守員が着用する保守用ヘルメット１００に設けられた二次元コード１１０の撮影画像から二次元コード１１０を抽出し、ユニークＩＤを復号する。そして、言語判定回路部２４０が、ユニークＩＤと予め対応付けられた第一言語情報を読み出して制御回路部２８０に出力する。さらに、制御回路部２８０が、第一言語情報に示された言語によって記述された保守情報を、保守作業用携帯端末２００の表示装置２９０の画面に表示させる。それゆえ、保守員は、保守作業用携帯端末２００の画面を覗き込んだり、保守作業用携帯端末２００の位置や向きを調整したりして、二次元コード１１０をカメラ装置２１０に撮影させるだけで、保守情報の表示言語を自分の第一言語に切り替えられる。
【００６４】
つまり、本実施形態によれば、保守員は、指示入力装置２７０に対して操作を入力することなく、自分の第一言語で記述された保守情報を、保守作業用携帯端末２００の表示装置２９０の画面に容易に表示させることが可能となる。また、本実施形態によれば、保守員は、例えば保守作業中で、着用している手袋が汚れている等の状況下においても、保守作業用携帯端末２００の指示入力装置２７０に触れることなく、保守情報の表示言語を、自分の第一言語に切り替えることができる。
【００６５】
また、本実施形態によれば、保守員の第一言語の種類毎にユニークＩＤが設けられ、ユニークＩＤは、二次元コード１１０に符号化されて、各保守員が個別に所有及び着用する保守用ヘルメット１００に取り付けられる。そして、保守作業用携帯端末２００のカメラ装置２１０によって二次元コード１１０が撮影されることにより、二次元コード読取り回路部２２０によってユニークＩＤが取得され、取得されたユニークＩＤに基づいて保守員の第一言語情報が取得される。それゆえ、本実施形態によれば、保守員の第一言語を判定するための判断材料として、膨大な量の保守員の特徴情報等を保持しておく必要がない。
【００６６】
また、本実施形態の保守作業用携帯端末２００では、カメラ装置２１０で複数の二次元コード１１０の画像が撮影された場合、二次元コード読取り回路部２２０によって、撮影画像中で一番大きく写っている二次元コード１１０のみが抽出される。すなわち、保守作業用携帯端末２００の周囲に複数の保守員が存在する場合にも、保守作業用携帯端末２００の一番近くに位置している保守員が着用中の保守用ヘルメット１００に設けられた二次元コード１１０のみが抽出される。そして、抽出されたユニークＩＤに基づいて、言語判定回路部２４０によって保守員の第一言語情報が抽出され、抽出された第一言語情報に示された言語で記述された保守情報が、制御回路部２８０の制御に基づいて表示装置２９０の画面に表示される。
【００６７】
したがって、本実施形態によれば、多くの保守員が存在する場所で保守作業用携帯端末２００が使用される場合においても、保守員による操作入力を必要とすることなく、第一言語情報を取得すべき（端末を使用すると想定される）保守員を即時に特定できる。これにより、第一言語が互いに異なる複数の保守員同士が、１つの保守作業用携帯端末２００を共有して保守作業を行う場合にも、表示言語の切り替えを、保守員による操作入力を必要とすることなくスムーズに行うことができる。
【００６８】
また、本実施形態の保守作業用携帯端末２００では、言語判定回路部２４０が保守員の第一言語を判定することができなかった場合、制御回路部２８０の制御に基づいて、デフォルト言語で記述された保守情報が表示装置２９０の画面に表示される。つまり、本実施形態によれば、言語情報記憶部２３０に記憶されていない言語を第一言語とする保守員が、保守作業用携帯端末２００を使用する場合には、デフォルト言語で記述された保守情報が、表示装置２９０に表示される。これにより、デフォルト言語として、例えば、英語を設定しておくことで、保守員の第一言語に対応した言語表示を行えない場合であっても、保守員に保守情報を把握させることができる。
【００６９】
また、本実施形態の保守作業用携帯端末２００では、二次元コード読取り回路部２２０が二次元コード１１０を読み取れなかった場合、制御回路部２８０の制御に基づいて、非言語シンボルにより表される保守情報が、表示装置２９０の画面に表示される。それゆえ、例えば、保守作業用携帯端末２００が壁や棚などに立てかけてある状態で、保守作業用携帯端末２００の周囲に保守員が存在しない場合等には、二次元コード１１０の読取りが行われず、保守情報の表示が、非言語シンボルを用いたものに切り替えられる。したがって、本実施形態によれば、保守員が保守作業用携帯端末２００の近くに存在しない場合に、昇降機の扉の開閉状態や乗りかごの停止階床等の、概要的な内容の保守情報を、非言語シンボルを用いて、保守員第一言語の如何を問わずに表示することができる。
【００７０】
さらに、この場合、非言語シンボルで示される保守情報を遠方から見ていた保守員が、保守作業用携帯端末２００に近づいてカメラ装置２１０の撮影範囲内に入るだけで、保守情報の表示言語が、保守員の第一言語に切り替わる。したがって、本実施形態によれば、保守員は、保守作業用携帯端末２００に近づくだけで、保守情報の表示内容を、非言語シンボルによる概略的なものから、自分の第一言語による詳細なものに変更することができる。
【００７１】
＜第２の実施形態＞
［保守作業支援システムの内部構成］
次に、図４を参照して、本発明の第２の実施形態に係る保守作業支援システムの内部構成について説明する。図４は、第２の実施形態の保守作業支援システムの内部構成を示すブロック図である。なお、図４に示す保守作業支援システム１Ａにおいて、図１に示す上記第１の実施形態の保守作業支援システム１と同様の構成には同じ符号を付して示し、それらの構成の説明は省略する。
【００７２】
第２の実施形態の保守作業支援システム１Ａは、図１に示すように、保守用ヘルメット１００Ａと、保守作業用携帯端末２００Ａとを備える。
【００７３】
保守用ヘルメット１００Ａは、二次元コード１１０及び無線通信タグ１２０（無線送信装置の一例）を備える。無線通信タグ１２０は、各保守員の第一言語の種類を識別するユニークＩＤを格納する記憶装置１２１、及び、ユニークＩＤを無線通信によって送信する送信装置１２２を備える。送信装置１２２の無線通信方式はどのような種類のものであってもよく、例えば、ＲＦＩＤ（Radio Frequency IDentification）、ＮＦＣ（Near Field Communication）、Bluetooth（登録商標）、Ｗｉ−ｆｉ（Wireless Fidelity）等を適用できる。また、無線通信タグ１２０が無線信号を送信する無線媒体として、音波や超音波等を用いてもよい。
【００７４】
保守作業用携帯端末２００Ａは、上記第１の実施形態の保守作業用携帯端末２００が有する各部又は装置に加えて、無線受信装置３００及び無線強度判定回路部３１０（距離情報取得回路部の一例）を備える。
【００７５】
無線受信装置３００は、無線通信タグ１２０から送信された無線電波を受信する。また、無線受信装置３００は、受信した無線電波の強度（無線強度）を測定し、測定した無線強度の情報を不図示のメモリ等に格納する。
【００７６】
無線強度判定回路部３１０は、無線受信装置３００が複数の無線電波を受信した場合に、無線受信装置３００で測定された無線強度の情報を無線受信装置３００から読み出し、読み出した各無線強度を比較することにより、無線強度が最も強い無線電波を判定する。そして、無線強度判定回路部３１０は、無線強度が最も強いと判定した無線電波で伝送された無線信号を復調及び復号することにより、ユニークＩＤを取得する。
【００７７】
無線電波の無線強度は、無線電波の送信元の保守用ヘルメット１００Ａの無線通信タグ１２０及び保守作業用携帯端末２００Ａ間の距離が近いほど強くなり、距離が遠いほど弱くなる。つまり、無線強度判定回路部３１０が測定する無線電波の無線強度の情報は、保守作業用携帯端末２００と保守員との距離を示す情報（距離情報）であると言える。無線強度判定回路部３１０は、無線強度が最も強い無線電波を判定することにより、保守作業用携帯端末２００から一番近い位置に存在する保守員（が着用している保守用ヘルメット１００Ａの無線通信タグ１２０）を特定する。保守作業用携帯端末２００から一番近い位置に存在する保守員は、保守作業用携帯端末２００を使用する可能性が最も高い保守員、もしくは、保守作業用携帯端末２００を使用中の保守員であると考えられる。つまり、無線強度判定回路部３１０によって上記判定が行われることにより、保守作業用携帯端末２００Ａの周囲に存在する複数の保守員の中から、保守作業用携帯端末２００を使用する可能性が最も高い（もしくは使用中の）保守員が特定される。
【００７８】
無線受信装置３００が受信した無線電波の数が１つであった場合には、無線強度判定回路部３１０は、無線受信装置３００が受信した無線電波を復調及び復号してユニークＩＤを取得する。無線強度判定回路部３１０は、取得したユニークＩＤを言語判定回路部２４０に出力する。
【００７９】
なお、本実施形態では、本発明の保守用ヘルメットに設けられる無線送信装置を無線通信タグ１２０に適用し、保守作業用携帯端末の距離情報取得回路部を無線強度判定回路部３１０に適用した例を挙げたが、本発明はこれに限定されない。例えば、無線送信装置を、ＧＰＳ（Global Positioning System）等の位置情報取得装置で構成してもよい。そして、距離情報取得回路部は、位置情報取得装置から送信される位置情報（「無線信号に含まれる情報」の一例）を用いて保守作業用携帯端末及び保守員間の距離を算出するようにしてもよい。
【００８０】
カメラ装置２１０及び二次元コード読取り回路部２２０の構成は、上記第１の実施形態のそれらと同一である。したがって、カメラ装置２１０で撮影された、保守員が着用中の保守用ヘルメット１００Ａの二次元コード１１０の撮影画像は、二次元コード読取り回路部２２０に出力される。そして、二次元コード読取り回路部２２０では、カメラ装置２１０による撮影画像から二次元コード１１０が抽出及び復号されることにより、ユニークＩＤが取得される。二次元コード読取り回路部２２０で取得されたユニークＩＤは、言語判定回路部２４０に出力される。
【００８１】
言語判定回路部２４０は、二次元コード読取り回路部２２０から入力されたユニークＩＤと、無線強度判定回路部３１０から入力されたユニークＩＤとを照合し、両ＩＤが同一であるか否かを判定する。言語判定回路部２４０は、両ＩＤが同一であると判定した場合、そのユニークＩＤと対応付けられている第一言語情報を、言語情報記憶部２３０から読み出し、読み出した第一言語情報を制御回路部２８０に出力する。
【００８２】
なお、本実施形態では、カメラ装置２１０による撮影画像中に、複数の二次元コード１１０の画像が含まれていた場合、二次元コード読取り回路部２２０によって、全ての二次元コードが抽出及び復号されて複数のユニークＩＤが取得される。そして、二次元コード読取り回路部２２０で取得された全てのユニークＩＤは、言語判定回路部２４０に出力される。
【００８３】
言語判定回路部２４０は、二次元コード読取り回路部２２０で複数のユニークＩＤが取得された場合、二次元コード読取り回路部２２０で取得された複数のユニークＩＤと、無線強度判定回路部３１０から入力されたユニークＩＤとを照合する。無線強度判定回路部３１０から入力されたユニークＩＤは、上述のように、最も強いと判定した無線強度の電波を介して送信された無線信号から抽出されたユニークＩＤである。
【００８４】
そして、言語判定回路部２４０は、両ＩＤが一致する組み合わせが存在するか否かを判定する。つまり、言語判定回路部２４０は、二次元コード読取り回路部２２０で取得された複数のユニークＩＤの中に、無線強度が最も強い無線電波を介して伝送されたユニークＩＤと一致するＩＤが存在するか否かを判定する。言語判定回路部２４０は、両ＩＤが一致する組み合わせが存在すると判定した場合、そのユニークＩＤと対応付けられた第一言語情報を言語情報記憶部２３０から読み出し、読み出した第一言語情報を制御回路部２８０に出力する。
【００８５】
制御回路部２８０による制御の内容は、上記第１の実施形態におけるものと同一である。つまり、制御回路部２８０は、言語判定回路部２４０から入力された第一言語情報に示される言語で記述された保守情報を、表示装置２９０の画面に表示させる制御を行う。
【００８６】
［保守作業用携帯端末による表示制御手法］
次に、第２の実施形態の保守作業用携帯端末２００Ａによる表示制御手法について、図５及び図６を参照しながら説明する。図５及び図６は、第２の実施形態の保守作業用携帯端末２００Ａによる表示制御手法の手順を示すフローチャートである。
【００８７】
まず、保守員等によって保守作業用携帯端末２００Ａの電源が投入されると、保守作業用携帯端末２００Ａのカメラ装置２１０が撮影を開始する（ステップＳ２１）。また、無線受信装置３００が、保守用ヘルメット１００Ａの無線通信タグ１２０から送信された無線電波を受信する（ステップＳ２２）。
【００８８】
次いで、カメラ装置２１０が二次元コード１１０を撮影できたか否かを、二次元コード読取り回路部２２０が判定する（ステップＳ２３）。ステップＳ２３で、二次元コード１１０は撮影されなかったと判定された場合（ステップＳ２３がＮＯ判定の場合）、制御回路部２８０は、非言語シンボルで表される保守情報及び表示言語選択用プルダウンメニューを表示装置２９０の画面に表示させる（ステップＳ２４）。
【００８９】
一方、ステップＳ２３で、二次元コード１１０が撮影されたと二次元コード読取り回路部２２０が判定した場合（ステップＳ２３がＹＥＳ判定の場合）、無線受信装置３００は、電波の無線強度を測定できたか否かを判定する（ステップＳ２５）。ステップＳ２５で、無線強度は測定できなかったと判定された場合（ステップＳ２５がＮＯ判定の場合）、制御回路部２８０は、非言語シンボルで表される保守情報及び表示言語選択用プルダウンメニューを表示装置２９０の画面に表示させる（ステップＳ２４）。
【００９０】
なお、本実施形態では、ステップＳ２３の判定処理（二次元コード１１０の撮影可否の判定処理）の後にステップＳ２５の判定処理（無線強度の測定の可否の判定処理）を行っているが、本発明はこれに限定されない。ステップＳ２３の判定処理及びステップＳ２５の判定処理の順番は逆であってもよく、２つの判定処理は同時に並行して行ってもよい。
【００９１】
ステップＳ２５で、無線強度を測定できたと判定された場合（ステップＳ２５がＹＥＳ判定の場合）、二次元コード読取り回路部２２０は、カメラ装置２１０によって、複数の二次元コード１１０が撮影されたか否かを判定する（ステップＳ２６）。
【００９２】
ステップＳ２６で、複数の二次元コード１１０が撮影されたと判定された場合（ステップＳ２６がＹＥＳ判定の場合）、二次元コード読取り回路部２２０は、複数の二次元コード１１０をそれぞれ復号して複数のユニークＩＤ＿Ｉ１を取得する（ステップＳ２７）。次いで、無線強度判定回路部３１０は、無線受信装置３００が受信した複数の無線電波の中で無線強度が最も強い無線電波を判定する（ステップＳ２８）。そして、無線強度判定回路部３１０は、無線強度が最も強いと判定した無線電波を介して送信された無線信号から、ユニークＩＤ＿Ｉ２（第２の識別情報の一例）を抽出する（ステップＳ２９）。
【００９３】
次いで、制御回路部２８０は、二次元コード読取り回路部２２０が取得したユニークＩＤ＿Ｉ１と、無線強度判定回路部３１０が取得したユニークＩＤ＿Ｉ２とが一致する組み合わせがあるか否かを判定する（ステップＳ３０）。すなわち、制御回路部２８０は、二次元コード読取り回路部２２０が取得した複数のユニークＩＤ＿Ｉ１の中に、無線強度判定回路部３１０が取得した、無線強度が最も強い電波で伝送されたユニークＩＤ＿Ｉ２と一致するものがあるか否かを判定する。
【００９４】
ステップＳ３０で、制御回路部２８０が、ユニークＩＤ＿Ｉ１とユニークＩＤ＿Ｉ２とが一致する組み合わせはないと判定した場合（ステップＳ３０がＮＯ判定の場合）、制御回路部２８０は、ステップＳ２４の処理を行う。すなわち、制御回路部２８０は、非言語シンボルで表される保守情報を表示装置２９０の画面に表示させる制御を行う。
【００９５】
一方、ステップＳ３０で、ユニークＩＤ＿Ｉ１とユニークＩＤ＿Ｉ２とが一致する組み合わせありと判定された場合（ステップＳ３０がＹＥＳ判定の場合）、制御回路部２８０は、一致したユニークＩＤと対応付けられた第一言語情報を検索する（ステップＳ３１）。ステップＳ３１の処理後、図６のステップＳ３５以降の処理が行われる。ステップＳ３５以降の処理については、図６を参照して後述する。
【００９６】
ステップＳ２６で、１つの二次元コード１１０のみが撮影されたと判定された場合（ステップＳ２６がＮＯ判定の場合）、二次元コード読取り回路部２２０は、二次元コードを復号してユニークＩＤ＿Ｉ１を取得する（ステップＳ３２）。次いで、無線強度判定回路部３１０は、無線受信装置３００が受信した無線電波に含まれる無線信号からユニークＩＤ＿Ｉ２を抽出する（ステップＳ３３）。
【００９７】
次いで、制御回路部２８０は、ユニークＩＤ＿Ｉ１とユニークＩＤ＿Ｉ２とが一致するか否かを判定する（ステップＳ３４）。ステップＳ３４で、ユニークＩＤ＿Ｉ１とユニークＩＤ＿Ｉ２とは一致しないと判定された場合（ステップＳ３４がＮＯ判定の場合）、制御回路部２８０は、ステップＳ２４の処理を行う。すなわち、制御回路部２８０は、非言語シンボルで表される保守情報を表示装置２９０の画面に表示させる制御を行う。
【００９８】
一方、ステップＳ３４で、ユニークＩＤ＿Ｉ１とユニークＩＤ＿Ｉ２とが一致すると判定された場合（ステップＳ３４がＹＥＳ判定の場合）、制御回路部２８０は、ステップＳ３１の処理を行う。すなわち、制御回路部２８０は、一致したユニークＩＤと対応付けられた第一言語情報を検索する。ステップＳ３１の処理後、図６のステップＳ３５以降の処理が行われる。
【００９９】
ステップＳ３５では、言語判定回路部２４０によって、ユニークＩＤと対応する第一言語情報が、言語情報記憶部２３０中に存在するか否かの判定が行われる。ステップＳ３５で、ユニークＩＤと対応する第一言語情報が存在しないと判定された場合（ステップＳ３５がＮＯ判定の場合）、制御回路部２８０は、デフォルト言語で記述された保守情報を、表示装置２９０の画面に表示させる（ステップＳ３６）。
【０１００】
一方、ステップＳ３５で、ユニークＩＤと対応する第一言語情報が存在すると判定された場合（ステップＳ３５がＹＥＳ判定の場合）、言語判定回路部２４０は、ユニークＩＤと対応する第一言語情報を言語情報記憶部２３０から読み出す（ステップＳ３７）。次いで、制御回路部２８０は、言語判定回路部２４０が読み出した第一言語情報に示された言語で記述された保守情報を、表示装置２９０の画面に表示させる（ステップＳ３８）。
【０１０１】
ステップＳ２４又はステップＳ３６又はステップＳ３８の処理後、制御回路部２８０は、保守作業用携帯端末２００Ａの使用終了の指示を検知したか否かを判定する（ステップＳ３９）。ステップＳ３９で、制御回路部２８０が、保守作業用携帯端末２００Ａの使用終了の指示を検知していないと判定した場合（ステップＳ３９がＮＯ判定の場合）、制御回路部２８０は、処理を図５のステップＳ２３に戻す。そして、ステップＳ２３では、二次元コード読取り回路２２０による、二次元コード撮影の可否の判定が行われる。
【０１０２】
ステップＳ３９で、制御回路部２８０が、保守作業用携帯端末２００Ａの使用終了の指示を検知したと判定した場合（ステップＳ３９がＹＥＳ判定の場合）、制御回路部２８０は、処理を終了する。
【０１０３】
上記第２の実施形態の保守作業用携帯端末２００Ａでは、カメラ装置２１０の撮影画像から取得されるユニークＩＤ＿Ｉ１と、保守用ヘルメット１００Ａの無線通信タグ１２０から送信されるユニークＩＤ＿Ｉ２とを用いて、保守員の第一言語が判定される。保守作業用携帯端末２００Ａの周囲に複数の保守員が存在することにより、複数の無線通信タグ１２０から複数の無線電波が送信された場合には、無線強度が最も強い無線を介して送信されたユニークＩＤ＿Ｉ２のみが取得される。そして、ユニークＩＤ＿Ｉ２と同一であるユニークＩＤ＿Ｉ１が存在した場合に、ユニークＩＤ＿Ｉ１（Ｉ２）と対応付けられた第一言語情報に示される言語で記述された保守情報が、表示装置２９０の画面に表示される。
【０１０４】
それゆえ、本実施形態によれば、保守作業用携帯端末２００Ａの周辺に複数の保守員が存在する場合にも、無線信号の無線強度の情報に基づいて、第一言語による記述を適用すべき保守員（保守作業用携帯端末２００Ａを使用する保守員）を即時に特定できる。また、ユニークＩＤ＿Ｉ１及びユニークＩＤ＿Ｉ２を両方用いて、保守員の第一言語の判定を行うことで、保守作業用携帯端末２００Ａを使用する保守員を特定する確度を上げることができる。
【０１０５】
なお、上記第２の実施形態では、カメラ装置２１０による撮影画像中に複数の二次元コード１１０の画像が含まれていた場合、二次元コード読取り回路部２２０が、全ての二次元コード１１０を抽出及び復号する例を挙げたが、本発明はこれに限定されない。上記第１の実施形態と同様に、二次元コード読取り回路部２２０は、撮影画像中で一番大きく写っている二次元コード１１０を選択し、選択した二次元コード１１０に含まれるユニークＩＤ＿Ｉ１のみを取得するようにしてもよい。
【０１０６】
［各種変形例］
以上、本発明の各実施形態に係る保守作業用携帯端末及びその表示制御方法について説明したが、本発明は上記各実施形態に限定されず、特許請求の範囲に記載した本発明の要旨を逸脱しない限りその他種々の変形例、応用例を取り得る。例えば、次のような各種変形例も本発明に含まれる。
【０１０７】
上記各実施形態では、保守員の第一言語情報の識別情報をユニークＩＤで構成した例を挙げたが、本発明はこれに限定されない。保守員の第一言語情報の識別情報は、カメラ装置２１０による撮影画像から読み取れるものであって、かつ、第一言語の種類の識別を可能とするものであれば、どのような形態のものであってもよい。例えば、色、形状、文字、図形等によって識別情報を構成してもよい。
【０１０８】
また、上記各実施形態では、識別情報を有する保守員の装着物を、保守用ヘルメットに適用した例を挙げたが、本発明はこれに限定されない。保守員の装着物であれば、どのようなものであってもよく、例えば、胸章、腕章、名札、防護グラスなどの眼鏡等に、本発明の装着物を適用してもよい。なお、識別情報を「色」で構成する場合には、本発明の装着物を、第一言語の種類毎に色分けされた、保守員が着用する衣類に適用してもよい。
【０１０９】
また、上記各実施形態では、保守情報を文字又は画像で示す例を挙げたが、本発明はこれに限定されない。例えば、保守員の第一言語であると判定された言語による音声で、保守情報を読み上げる構成としてもよい。
【０１１０】
また、上記各実施形態では、保守作業用携帯端末を用いた保守作業が行われる保守対象機器を、昇降機に適用した例を挙げたが、本発明はこれに限定されない。保守作業用携帯端末を用いた保守作業が行われる保守対象機器であれば、どのようなものであってもよく、例えば、車、電車、飛行機、産業機械等の他の機器（装置）に適用可能である。
【０１１１】
なお、上述した実施形態及び各種変形例は本発明を分かりやすく説明するために装置（保守作業用携帯端末２００，２００Ａ）の構成を詳細且つ具体的に説明したものであり、必ずしも説明した全ての構成を備えるものに限定されるものではない。
【０１１２】
また、上記説明したある実施形態の構成の一部を他の実施の形態の構成に置き換えることは可能であり、さらにはある実施形態の構成に他の実施の形態例の構成を加えることも可能である。また、ある実施形態の構成の一部について、他の構成の追加、削除、置換をすることも可能である。また、図１及び図２において矢印又は直線で示した制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１１３】
１，１Ａ…保守作業支援システム、１００，１００Ａ…保守用ヘルメット、１１０…二次元コード、１２０…無線通信タグ、２００，２００Ａ…保守作業用携帯端末、２１０…カメラ装置、２２０…二次元コード読取り回路部、２３０…言語情報記憶部、２４０…言語判定回路部、２５０…多言語テンプレート記憶部、２６０…通信回路部、２７０…指示入力装置、２８０…制御回路部、２９０…表示装置、３００…無線受信装置、３１０…無線強度判定回路部
【図１】
2018045271.tif 000003
【図２】
2018045271.tif 000004
【図３】
2018045271.tif 000005
【図４】
2018045271.tif 000006
【図５】
2018045271.tif 000007
【図６】
2018045271.tif 000008